(57)【要約】【課題】簡単な構成で安価であり、効果的に外部から到来するノイズ波の影響を抑制することができる表示装置を提供する。【解決手段】本実施形態によれば、映像を表示する表示パネルと、表示パネル上に設けられ、センサとしての電極が設けられたセンサ領域とセンサ領域の周辺に設けられた周辺領域とを有するタッチパネルと、複数の電極を制御する制御部と、センサ領域に設けられた電極と制御部とを接続するために、周辺領域に配置された引き回し配線と、記引き回し配線の少なくとも一部と重なる領域に設けられた導電層とを具備する表示装置が提供される。【選択図】図３Ａ
2020170554.tif 000002
【特許請求の範囲】
【請求項１】
映像を表示する表示パネルと、
前記表示パネル上に設けられ、タッチ操作を検出するための複数の電極が設けられたセンサ領域と、前記センサ領域の周辺に設けられた周辺領域とを有するタッチパネルと、
前記周辺領域において、前記センサ領域と前記タッチパネルの端部との間に設けられ、第１配線基板に接続された複数の端子と、
前記複数の端子とそれぞれ接続され、前記複数の端子と前記タッチパネルの端部との間に設けられ、前記複数の端子を介して前記第１配線基板と電気的に接続される複数の引き回し配線と、
前記複数の端子と前記タッチパネルの端部との間において、前記引き回し配線の少なくとも一部と重なる領域に設けられた導電層と、
を備える表示装置。
【請求項２】
さらに、前記表示パネルに接続され、前記表示パネルに映像信号を供給する第２配線基板を備え、
前記導電層は、前記第２配線基板の少なくとも一部に重なっている、請求項１に記載の表示装置。
【請求項３】
前記電極は、前記タッチパネルに設けられる駆動電極及び又は検出電極である、請求項１に記載の表示装置。
【請求項４】
前記表示パネルは、液晶又は発光素子を用いた表示パネルである、請求項１記載の表示装置。
【請求項５】
前記導電層及び前記複数の引き回し配線は、前記複数の端子と前記タッチパネルの端部との間において、前記第１配線基板に重なっている、請求項１に記載の表示装置。
【請求項６】
映像を表示する表示パネルと、
前記表示パネル上に設けられ、タッチ操作を検出するための複数の電極が設けられたセンサ領域と、前記センサ領域の周辺に設けられた周辺領域とを有するタッチパネルと、
前記周辺領域に設けられ、前記センサ領域に設けられた前記複数の電極とそれぞれ接続された複数の引き回し配線と、
前記タッチパネルの端部に沿う方向に並んで配置された第１導電層及び第２導電層と、を備え、
前記第１導電層及び前記第２導電層は、前記引き回し配線の少なくとも一部と重なる領域に設けられている、表示装置。
【請求項７】
さらに、前記複数の電極に駆動信号を供給するように、前記複数の引き回し配線にそれぞれ接続された複数の端子を備える、請求項６に記載の表示装置。
【請求項８】
さらに、前記複数の端子に接続された第１配線基板を備え、
前記第１導電層は、前記第２導電層から離間し、
前記第１配線基板の少なくとも一部は、平面視において、前記第１導電層と前記第２導電層との間に位置している、請求項７に記載の表示装置。
【請求項９】
映像を表示する表示パネルと、
前記表示パネル上に設けられ、タッチ操作を検出するための複数の電極が設けられたセンサ領域と、前記センサ領域の周辺に設けられた周辺領域とを有するタッチパネルと、
前記周辺領域に設けられ、第１配線基板に接続された複数の端子と、
前記複数の端子とそれぞれ接続され、前記複数の端子と前記タッチパネルの端部との間に設けられ、前記複数の端子を介して前記第１配線基板と電気的に接続される複数の引き回し配線と、
前記引き回し配線の少なくとも一部と重なる領域に設けられた導電層と、
を備える表示装置。
【請求項１０】
映像を表示する表示パネルと、
前記表示パネル上に設けられ、タッチ操作を検出するための複数の電極が設けられたセンサ領域と、前記センサ領域の周辺に設けられた周辺領域とを有するタッチパネルと、
前記周辺領域に設けられた複数の端子と、
前記複数の端子とそれぞれ接続され、前記複数の端子と前記タッチパネルの端部との間に設けられた複数の引き回し配線と、
前記引き回し配線の少なくとも一部と重なる導電層と、
を備える表示装置。
【請求項１１】
前記複数の端子は、第１配線基板に接続され、
前記導電層及び前記複数の引き回し配線は、前記複数の端子と前記タッチパネルの端部との間において、前記第１配線基板に重なっている、請求項１０に記載の表示装置。
【請求項１２】
前記導電層は、基準電位部材に接続されている、請求項１または１０に記載の表示装置。
【請求項１３】
前記導電層は、さらに前記表示パネルに接続された映像信号線と重なっている、請求項１または１０に記載の表示装置。
【請求項１４】
前記導電層は、前記周辺領域に設けられ、前記センサ領域を囲む環状に形成されている、請求項１または１０に記載の表示装置。
【請求項１５】
前記導電層は、前記端部に沿う方向に並んで配置された第１導電層及び第２導電層を含んでいる、請求項１または１０に記載の表示装置。
【請求項１６】
前記導電層は、前記端部に沿う方向に並んで配置された第１導電層及び第２導電層を含み、
前記第１導電層は、前記第２導電層から離間し、
前記第１配線基板の少なくとも一部は、平面視において、前記第１導電層と前記第２導電層との間に位置している、請求項１に記載の表示装置。
【請求項１７】
前記基準電位部材は、前記表示パネルに対向して設けられた筐体である、請求項１２に記載の表示装置。
【請求項１８】
前記導電層の一部は、前記表示パネルの背面側において、基準電位部材に接続されている、請求項１または１０に記載の表示装置。
【請求項１９】
前記筐体は、固定部材により基準電位に接続されている、請求項１７に記載の表示装置。
【請求項２０】
前記筐体は、容量結合により基準電位に接続されている、請求項１７に記載の表示装置。
【請求項２１】
タッチ操作を検出するための複数の電極が設けられたセンサ領域と、
前記センサ領域の周辺に設けられた周辺領域と、
前記周辺領域に設けられた複数の端子と、
前記複数の端子とそれぞれ接続され、前記複数の端子とタッチパネルの端部との間に設けられた複数の引き回し配線と、
前記引き回し配線の少なくとも一部と重なる導電層と、
を備えるタッチパネル。
【請求項２２】
前記複数の端子は、第１配線基板に接続され、
前記導電層及び前記複数の引き回し配線は、前記複数の端子と前記タッチパネルの端部との間において、前記第１配線基板に重なっている、請求項２１に記載のタッチパネル。
【請求項２３】
前記導電層は、基準電位部材に接続されている、請求項２１に記載のタッチパネル。
【請求項２４】
前記導電層は、さらに表示パネルに接続された映像信号線と重なっている、請求項２１に記載のタッチパネル。
【請求項２５】
前記導電層は、前記周辺領域に設けられ、前記センサ領域を囲む環状に形成されている、請求項２１に記載のタッチパネル。
【請求項２６】
前記導電層は、前記端部に沿う方向に並んで配置された第１導電層及び第２導電層を含んでいる、請求項２１に記載のタッチパネル。
【請求項２７】
前記基準電位部材は、前記タッチパネルに対向して設けられた筐体である、請求項２３に記載のタッチパネル。
【請求項２８】
前記導電層の一部は、前記タッチパネルの背面側において、基準電位部材に接続されている、請求項２１に記載のタッチパネル。
【請求項２９】
前記筐体は、固定部材により基準電位に接続されている、請求項２７に記載のタッチパネル。
【請求項３０】
前記筐体は、容量結合により基準電位に接続されている、請求項２７に記載のタッチパネル。
【発明の詳細な説明】
【技術分野】
【０００１】
本発明の実施形態は、タッチセンサを備える表示装置、及びセンサに関する。
【背景技術】
【０００２】
携帯端末（スマートフォーンやパーソナルアシスタントデバイス（ＰＡＤ）、タブレットコンピュータ等）は、液晶、有機エレクトロルミネセンス（Electroluminescence 以下ＥＬと記す）等による表示装置を備える。また、携帯端末に使用される表示装置には、一般にタッチセンサ等の付加的な機能がある。
【０００３】
ところで、タッチセンサ機能を有する液晶表示装置に対しては、電磁的な外部ノイズの耐性を評価するために、イミュニティーノイズ試験が実施される。このイミュニティーノイズ試験の１つに、タッチ操作面に対してアンテナからのノイズ波を放射し、このノイズ波に基づく誤タッチ操作（誤動作）の発生を確認する試験がある。
【０００４】
誤動作の発生を防止するためには、タッチ操作を検出する検出電極が、外部から到来するノイズ波の影響を受けにくくする必要がある。そのために、検出電極をシールドする方法がある。しかしながら、シールドを施す部位の制限、シールドのためのコストアップなどが伴い、その改善が求められている。
【先行技術文献】
【特許文献】
【０００５】
【特許文献１】特開２０１４−１２３６４０号公報
【発明の概要】
【発明が解決しようとする課題】
【０００６】
上記したように、タッチ操作が可能な表示装置においては、誤タッチ操作（誤動作）の発生を防止するために、効果的であって安価な手段が求められている。
【０００７】
そこで本実施形態においては、簡単な構成で安価であり、効果的に外部から到来するノイズ波の影響を抑制することができる表示装置を提供することを目的とする。
【課題を解決するための手段】
【０００８】
一実施形態によれば、  
映像を表示する表示パネルと、前記表示パネル上に設けられ、センサとしての電極が設けられたセンサ領域と前記センサ領域の周辺に設けられた周辺領域とを有するタッチパネルと、前記複数の電極を制御する制御部と、前記センサ領域に設けられた前記電極と前記制御部とを接続するために、前記周辺領域に配置された引き回し配線と、前記引き回し配線の少なくとも一部と重なる領域に設けられた導電層と、を具備する表示装置が提供される。
【０００９】
一実施形態によれば、  
センサ領域と前記センサ領域を囲む周辺領域とを有する基板と、前記センサ領域に設けられ、タッチ操作を検出するための電極と、前記電極を制御する制御部と、前記周辺領域に配置され、前記電極と前記制御部とを接続するための端子部と、前記基板の端部と前記端子部との間に位置する第１導電層と、を備え、前記第１導電層は、基準電位であり、前記基板と接している、センサが提供される。
【００１０】
一実施形態によれば、  
センサ領域と前記センサ領域を囲む周辺領域とを含む主面と、側面とを有する基板と、前記センサ領域に設けられ、タッチ操作を検出するための電極と、前記電極を制御する制御部と、前記周辺領域に配置され、前記電極と前記制御部とを接続するための端子部と、基準電位であり、前記側面に接している第１導電層と、を備えるセンサが提供される。
また、一実施形態によれば、
映像を表示する表示パネルと、前記表示パネル上に設けられ、タッチ操作を検出するための複数の電極が設けられたセンサ領域と、前記センサ領域の周辺に設けられた周辺領域とを有するタッチパネルと、前記周辺領域において、前記センサ領域と前記タッチパネルの端部との間に設けられ、第１配線基板に接続された複数の端子と、前記複数の端子とそれぞれ接続され、前記複数の端子と前記タッチパネルの端部との間に設けられ、前記複数の端子を介して前記第１配線基板と電気的に接続される複数の引き回し配線と、前記複数の端子と前記タッチパネルの端部との間において、前記引き回し配線の少なくとも一部と重なる領域に設けられた導電層と、を備える表示装置が提供される。
また、一実施形態によれば、
映像を表示する表示パネルと、前記表示パネル上に設けられ、タッチ操作を検出するための複数の電極が設けられたセンサ領域と、前記センサ領域の周辺に設けられた周辺領域とを有するタッチパネルと、前記周辺領域に設けられ、前記センサ領域に設けられた前記複数の電極とそれぞれ接続された複数の引き回し配線と、前記タッチパネルの端部に沿う方向に並んで配置された第１導電層及び第２導電層と、を備え、前記第１導電層及び前記第２導電層は、前記引き回し配線の少なくとも一部と重なる領域に設けられている、表示装置が提供される。
また、一実施形態によれば、
映像を表示する表示パネルと、前記表示パネル上に設けられ、タッチ操作を検出するための複数の電極が設けられたセンサ領域と、前記センサ領域の周辺に設けられた周辺領域とを有するタッチパネルと、前記周辺領域に設けられ、第１配線基板に接続された複数の端子と、前記複数の端子とそれぞれ接続され、前記複数の端子と前記タッチパネルの端部との間に設けられ、前記複数の端子を介して前記第１配線基板と電気的に接続される複数の引き回し配線と、前記引き回し配線の少なくとも一部と重なる領域に設けられた導電層と、を備える表示装置が提供される。
また、一実施形態によれば、
映像を表示する表示パネルと、前記表示パネル上に設けられ、タッチ操作を検出するための複数の電極が設けられたセンサ領域と、前記センサ領域の周辺に設けられた周辺領域とを有するタッチパネルと、前記周辺領域に設けられた複数の端子と、前記複数の端子とそれぞれ接続され、前記複数の端子と前記タッチパネルの端部との間に設けられた複数の引き回し配線と、前記引き回し配線の少なくとも一部と重なる導電層と、を備える表示装置が提供される。
また、一実施形態によれば、
タッチ操作を検出するための複数の電極が設けられたセンサ領域と、前記センサ領域の周辺に設けられた周辺領域と、前記周辺領域に設けられた複数の端子と、前記複数の端子とそれぞれ接続され、前記複数の端子とタッチパネルの端部との間に設けられた複数の引き回し配線と、前記引き回し配線の少なくとも一部と重なる導電層と、を備えるタッチパネルが提供される。
【図面の簡単な説明】
【００１１】
【図１】図１は、第１実施形態に係る表示装置を概略的に示す断面図である。
【図２】図２は、図１に示す領域を拡大して示す図である。
【図３Ａ】図３Ａは、図１に示す表示装置に用いられるタッチパネルを概略的に示す平面図である。
【図３Ｂ】図３Ｂは、導電層により覆われた領域の部分の等価回路の例を示している。
【図４Ａ】図４Ａは、図１に示す表示装置を概略的に示す斜視図である。
【図４Ｂ】図４Ｂは、図１に示す表示装置の他の例を概略的に示す斜視図である。
【図５】図５は、第２実施形態に係る表示装置を概略的に示す平面図である。
【図６】図６は、第３実施形態に係る表示装置を概略的に示す平面図である。
【図７】図７は、第４実施形態に係る表示装置を概略的に示す平面図である。
【図８】図８は、図７に示す端子部及び第３導電層を拡大して示す平面図である。
【図９】図９は、図７に示す表示装置を概略的に示す断面図である。
【図１０Ａ】図１０Ａは、第５実施形態に係る表示装置を概略的に示す平面図である。
【図１０Ｂ】図１０Ｂは、第５実施形態に係る表示装置の他の例を示す平面図である。
【図１１Ａ】図１１Ａは、第６実施形態に係る表示装置を概略的に示す平面図である。
【図１１Ｂ】図１１Ｂは、第６実施形態に係る表示装置の他の例を示す平面図である。
【図１２】図１２は、第７実施形態に係る表示装置の他の例を示す平面図である。
【図１３Ａ】図１３Ａは、第８実施形態に係る表示装置を概略的に示す断面図である。
【図１３Ｂ】図１３Ｂは、第８実施形態に係る表示装置の他の例を示す断面図である。
【図１４】図１４は、第１乃至第８実施形態に係る表示装置に適用される相互容量方式のタッチ検出装置を概略的に示す平面図である。
【図１５】図１５は、第１乃至第８実施形態に係る表示装置に適用される自己容量方式のタッチ検出装置を概略的に示す平面図である。
【図１６Ａ】図１６Ａは、図１５に示すタッチ検出装置の詳細を示す図である。
【図１６Ｂ】図１６Ｂは、図１６Ａに示すタッチ検出装置のタイミングチャートである。
【発明を実施するための形態】
【００１２】
以下、本実施形態について、図面を参照しながら説明する。なお、開示はあくまで一例に過ぎず、当業者において、発明の主旨を保っての適宜変更について容易に想到し得るものについては、当然に本発明の範囲に含有されるものである。また、図面は、説明をより明確にするため、実際の態様に比べて、各部の幅、厚さ、形状等について模式的に表される場合があるが、あくまで一例であって、本発明の解釈を限定するものではない。また、本明細書と各図において、既出の図に関して前述したものと同一又は類似した機能を発揮する構成要素には同一の参照符号を付し、重複する詳細な説明を適宜省略することがある。
【００１３】
（第１実施形態）
本実施形態では、タッチ検出機能を備えた表示装置を説明する。本実施形態は、表示素子に液晶が利用される装置、或いは有機ＥＬ素子等の発光素子が利用される装置のいずれにも適用可能である。また、タッチ検出装置として、表示パネルとは独立した専用のタッチパネルを利用している装置であっても、一部の部品を表示パネルの部品と共用して用いる装置であっても本実施形態が適用可能である。
【００１４】
図１は、本実施形態に係る表示装置を概略的に示す断面図である。本実施形態は、液晶表示装置１００であり、平面視して、通常使用する際の横方向を第１方向Ｘとし、縦方向を第２方向Ｙとし、その厚み方向を第３方向Ｚとして説明する。また画面側、すなわち第３方向Ｚ側を上側（表面側）、画面と反対側を下側（裏側）として説明する。
【００１５】
液晶表示装置１００は、アクティブマトリクス型の液晶表示パネルＬＣＤ、バックライトユニットＢＬ、タッチパネル１３、制御基板１１、シールドケース１２、などを備えている。
【００１６】
液晶表示パネルＬＣＤは、平面視して例えば矩形状であり、バックライトユニットＢＬから照射された光を選択的に透過することで画像を表示する透過表示機能を備えている。尚、液晶表示パネルＬＣＤは、透過表示機能に加えて、外光を選択的に反射することで画像を表示する反射表示機能を備えるタイプであってもよい。
【００１７】
液晶表示パネルＬＣＤは、第１基板ＳＵＢ１とこれに対向した第２基板ＳＵＢ２とを備え、第１基板ＳＵＢ１と第２基板ＳＵＢ２との間に液晶層を備える。第１基板ＳＵＢ１及び第２基板ＳＵＢ２は、例えばガラス、或いは樹脂等からなる透明な絶縁基板を用いて構成されている。
【００１８】
バックライトユニットＢＬは、液晶表示パネルＬＣＤの下側面に対向して設けられている。バックライトユニットＢＬは、各種のタイプがあり、いずれのタイプが用いられてもよい。バックライトユニットＢＬは、導光板とそのエッジに発光素子を配列したタイプや、光を散乱させるガラス板の裏側に冷陰極線管を配列するタイプなどがある。
【００１９】
上記バックライトユニットＢＬの下面側に制御基板１１が配置されている。制御基板１１には、液晶表示パネルＬＣＤを制御するＬＣＤ制御ＩＣチップ、ＬＣＤ制御ＩＣチップと連動して後述するタッチ検出装置を駆動するタッチパネル駆動ＩＣチップなどを搭載している。さらに外部との通信を行うための通信モジュールや、各種アプリケーションを実装して、液晶表示装置の動作を制御するホスト装置も搭載している。
【００２０】
上記制御基板１１はその動作が外部干渉を受けないように、例えば金属材料からなるシールドケース（またはフィルム状のシールドカバー）１２により覆われている。
【００２１】
上記液晶表示パネルＬＣＤの上面（すなわちバックライトユニットＢＬと反対側）には、タッチ検出装置を構成するタッチパネル１３が配置されている。タッチパネル１３は、透明な合成樹脂或いはガラス基板を含み、後で説明するように、少なくとも検出電極を備えている。
【００２２】
タッチパネル１３と制御基板１１とは、タッチパネル用フレキシブルプリント回路基板（以下ＦＰＣと称す）２２により接続されている。なお、先のタッチパネル駆動ＩＣチップは、このタッチパネル用ＦＰＣ２２に搭載されてもよい。液晶表示パネルＬＣＤと制御基板１１とは、表示パネル用ＦＰＣ（チップオンフィルム（ＣＯＦ）を含む）２１により接続されている。
【００２３】
図２は、図１の破線で囲まれた領域Ａを拡大して示している。領域Ａは、タッチパネル１３の第２方向Ｙの縁の一部であって、特にタッチ操作面と反対側の平坦な面を第３方向Ｚに断面した状態を示している。この平坦な面には、後述する駆動電極に接続される引き回し配線ＬＴｘ、検出電極に接続される引き回し配線ＬＲｘが存在する。
【００２４】
そしてこれらの引き回し配線ＬＴｘ及びＬＲｘの少なくとも一部が、ノイズを除去するための導電層ＣＳにより覆われている。引き回し配線ＬＴｘ及びＬＲｘの表面は、絶縁材１５が塗布されているので、導電層ＣＳと導通することはない。導電層ＣＳは、例えば銅、アルミニウム等の金属材料からなるシート状の部材である。導電層ＣＳは、例えば粘着性を有する粘着面を有していてもよく、接着剤を用いて絶縁材１５に貼り付けられていてもよい。あるいは、導電層ＣＳは、例えば銀等の金属材料を含む例えばペースト状の導電材料を塗布することで形成されてもよい。この場合、導電材料が絶縁材１５に直接塗布されてもよく、導電材料が塗布された部材が引き回し配線ＬＴｘ及びＬＲｘと重なるように配置されてもよい。
【００２５】
導電層ＣＳとシールドケース１２との間には、緩衝材としてのガスケット１４が設けられている。シールドケース１２は、縁の一部が折り曲げられてタッチパネル１３と平行となる屈曲片１２ａを有している。この屈曲片１２ａと導電層ＣＳとで、ガスケット１４を挟んでいる。
【００２６】
なお、タッチパネル１３のタッチ操作面と反対側の面であってシールドケース１２で囲まれた部分には、タッチパネル用ＦＰＣ２２を接続するための端子部２２ａが設けられている。
【００２７】
図３Ａは、タッチパネル１３に設けられる検出電極Ｒｘと駆動電極Ｔｘの配置例と、導電層ＣＳの貼り付け位置の例をタッチ操作面と反対側（すなわち液晶表示パネルＬＣＤ側）からみて示す平面図である。タッチパネル１３は、センサ領域ＳＡにおいて、タッチ操作を検出するための複数の駆動電極Ｔｘ（Ｔｘ１、Ｔｘ２、・・・・、Ｔｘｍ）と、この複数の駆動電極Ｔｘに対して絶縁し、交差するように配列された複数の検出電極Ｒｘ（Ｒｘ１、Ｒｘ２、・・・・、Ｒｘｎ）とを備える。センサ領域ＳＡにおいて、第１方向Ｘに沿って配置された複数の検出電極Ｒｘ（Ｒｘ１、Ｒｘ２、・・・・、Ｒｘｎ）は、第２方向Ｙへ間隔を置いて並列に配列されている。第２方向Ｙに沿って配置された複数の駆動電極Ｔｘ（Ｔｘ１、Ｔｘ２、・・・・、Ｔｘｍ）は、第１方向Ｘへ間隔を置いて並列に配列されている。駆動電極Ｔｘと検出電極Ｒｘとの各交差部では、対向する電極間で容量を形成している。
【００２８】
センサ領域ＳＡの周辺には、センサ領域ＳＡを囲む周辺領域ＣＡが設けられている。周辺領域ＣＡには、各駆動電極Ｔｘに接続された引き回し配線ＬＴｘ及び各検出電極Ｒｘに接続された引き回し配線ＬＲｘが配置されている。各列の駆動電極Ｔｘは、引き回し配線ＬＴｘによりループを形成している。すなわち、第１方向Ｘにおいて、タッチパネル１３の左半分の領域の駆動電極Ｔｘの引き回し配線ＬＴｘは、タッチパネル１３の左側の縁の領域を通ってループを形成している。タッチパネル１３の右半分の領域の駆動電極Ｔｘの引き回し配線ＬＴｘは、タッチパネルの右側の縁の領域を通ってループを形成している。また、各行の検出電極Ｒｘの引き回し配線ＬＲｘは、タッチパネルの第２方向Ｙの一端側、すなわち第１方向Ｘに平行な端部１３Ｅ側の縁の領域を通ってループを形成している。
【００２９】
なお、上記の例は、一例であり、駆動電極Ｔｘ及び検出電極Ｒｘの形状やパターンは、必ずしも図に示した形状やパターンに限定されるものではない。また、上記の説明では引き回し配線ＬＴｘ及びＬＲｘが、ループを形成しているとして説明したが、必ずしもループを形成する必要はない。駆動電極Ｔｘ及び検出電極Ｒｘが、タッチパネル用ＦＰＣ２２を介して、タッチパネル駆動ＩＣチップ２３に接続される構成であればよい。
【００３０】
端部１３Ｅ側には、タッチパネル用ＦＰＣ２２が配置され、端子部２２ａに接続されている。端子部２２ａは、引き回し配線ＬＴｘ及びＬＲｘを、外部に接続するための配線集約部である。端子部２２ａを介して引き回し配線ＬＴｘ及びＬＲｘに接続された金属配線は、タッチパネル用ＦＰＣ２２を介して、制御基板１１に設けられたタッチパネル駆動ＩＣチップ２３に接続されている。なお、端子部２２ａを配置する位置は、必ずしも図に示されるように引き回し配線のループ内に限定されるものではない。端子部２２ａを配置する位置は、例えばさらに端部１３Ｅ側であってもよい。
【００３１】
上記タッチパネル用ＦＰＣ２２が接続された領域の近傍には、表示パネル用ＦＰＣ（ＣＯＦを含む）２１も設けられている。すなわち、タッチパネル１３とほぼ重なる領域に設けられた液晶表示パネルＬＣＤの第２方向Ｙの一端側には、表示パネル用ＦＰＣ（ＣＯＦを含む）２１が接続されている。表示パネル用ＦＰＣ（ＣＯＦを含む）２１には、液晶表示パネルＬＣＤを駆動するための駆動信号ライン、液晶表示パネルＬＣＤに映像信号を供給するための複数の映像信号線ＳＬ（図では代表して１つの信号線を示している）、信号の切り替えやスイッチを制御するための制御信号用ラインなどが設けられている。これらの映像信号線ＳＬ等は、表示パネル用ＦＰＣ（ＣＯＦを含む）２１を介して、制御基板１１に設けられた図示しないＬＣＤ制御ＩＣチップに接続されている。
【００３２】
ここで、端部１３Ｅ側において、引き回し配線ＬＴｘ及びＬＲｘの一部を覆う領域に、複数の導電層ＣＳ、すなわち第１導電層ＣＳ１と第２導電層ＣＳ２とが設けられている。第１導電層ＣＳ１と第２導電層ＣＳ２とは、端子部２２ａの近傍において、第１方向Ｘに沿って設けられた引き回し配線ＬＴｘ及びＬＲｘの一部と重なるように、第１方向Ｘに沿って離間して設けられている。なお、第１導電層ＣＳ１及び第２導電層ＣＳ２は、少なくとも引き回し配線ＬＲｘと重なる領域に設けられていればよい。また、導電層ＣＳの数は、１つでもよく、３つ以上でもよい。
【００３３】
第１導電層ＣＳ１及び第２導電層ＣＳ２の電位は、例えば接地電位等の基準電位に固定されている。すなわち、第１導電層ＣＳ１及び第２導電層ＣＳ２は、電位が例えば接地電位等の基準電位に固定された部材（以下、基準電位部材とも称す）と電気的に接続されている。本実施形態においては、後述するように、例えばバックライトユニットＢＬを構成する筐体或いはシールドケース１２が基準電位部材として機能するので、第１導電層ＣＳ１及び第２導電層ＣＳ２は、直接的或いは間接的に当該筐体及び又はシールドケース１２に接続される。
【００３４】
図３Ｂは、導電層ＣＳにより覆われた領域の等価回路の例を示している。図３Ｂは、引き回し配線ＬＲｘと導電層ＣＳにより形成される等価回路を代表して示しているが、引き回し配線ＬＴｘと導電層ＣＳ、及び、映像信号線ＳＬと導電層ＣＳに関しても同様の等価回路で表すことができる。
【００３５】
引き回し配線ＬＲｘは、ある抵抗値を有している。基準電位（例えば接地電位）に固定された導電層ＣＳを引き回し配線ＬＲｘと重なる領域に設けることにより、引き回し配線ＬＲｘと導電層ＣＳとの間には、結合容量Ｃ１が生じる。結合容量Ｃ１と引き回し配線ＬＲｘ（及び検出電極Ｒｘ）の抵抗値とが、検出電極Ｒｘを流れる電流値のノイズを減少させるフィルタとして機能する。すなわち、検出電極Ｒｘを流れるノイズの電流は、結合容量Ｃ１を介して、接地電位に接続された端子へ流れる。
【００３６】
図４Ａは、本実施形態に係る液晶表示装置１００の外観を概略的に示す斜視図である。図４Ａは、液晶表示装置１００のタッチ操作面と反対側を示している。
【００３７】
図４Ａに示すように、第１導電層ＣＳ１及び第２導電層ＣＳ２は、バックライトユニットＢＬを構成する筐体ＣＨＳに接している。すなわち、第１導電層ＣＳ１及び第２導電層ＣＳ２と筐体ＣＨＳとは、電気的に接続されている。また、シールドケース１２は、ネジ１６により筐体ＣＨＳに固定されている。これにより、シールドケース１２を筐体ＣＨＳと同電位とすることができる。筐体ＣＨＳは、ネジ（固定部材）１７または導電部材１７ａを介して図示しない基準電位（接地電位）部材に電気的に接続されている。なお、表示装置が他の表示装置である場合には、第１導電層ＣＳ１及び第２導電層ＣＳ２は、バックライトユニットＢＬに限定されず、導電部材１７ｂを介して基準電位に接続される場合がある。
【００３８】
また、図４Ｂに示すように、筐体ＣＨＳは、先のネジ１７により基準電位部材に固定されていなくてもよい。この場合、筐体ＣＨＳは、図示しない基準電位部材と容量結合している。
【００３９】
本実施形態では、表示装置が透過表示機能を備えるタイプ、又は反射機能を備えるタイプの液晶表示装置である場合を例として説明したが、表示装置が反射型の液晶表示装置、あるいは有機ＥＬ素子を有する有機ＥＬ表示装置である場合は、バックライトユニットＢＬは省略することが可能である。この場合、例えばシールドケース１２等の筐体を、固定部材又は容量結合により基準電位部材に接続し、導電層ＣＳを上記筐体に接続することで、本実施形態を反射型の液晶表示装置、及び有機ＥＬ表示装置にも適用することができる。
【００４０】
本実施形態によれば、引き回し配線ＬＴｘ及びＬＲｘが設けられた周辺領域ＣＡにおいて、タッチパネル用ＦＰＣ２２の近傍で引き回し配線ＬＴｘ及びＬＲｘの少なくとも一部と重なる領域に、導電材料からなる導電層ＣＳが設けられている。これにより、例えば引き回し配線ＬＴｘ及びＬＲｘに例えば電磁波等の影響によりノイズが生じた場合であっても、タッチパネル１３の周辺領域ＣＡにおいて、タッチパネル用ＦＰＣ２２に侵入するノイズを低減することができる。すなわち、タッチパネル用ＦＰＣ２２を介して、制御基板１１に設けられたタッチパネル駆動ＩＣチップ２３に侵入するノイズを低減することができる。したがって、タッチパネル１３の誤動作を抑制することが可能となる。
【００４１】
また、本実施形態によれば、タッチパネル１３の全域に導電材料からなるカバーを設けた場合と比較して、簡単な構成で安価であり、且つ効果的に、ノイズの影響を低減することができる。
【００４２】
さらに、導電層ＣＳは、図３ＡからもわかるようにＬＣＤ制御ＩＣチップに接続された表示パネル用ＦＰＣ（ＣＯＦを含む）２１と重なる領域にも設けられている。これにより、映像信号線ＳＬに生じるノイズの影響も低減することができる。したがって、例えばノイズに起因した画面のちらつき等を抑え、表示品位を向上することができる。なお、引き回し配線ＬＲｘ及び又はＬＴｘは、タッチパネル用ＦＰＣ２２上に電気的に延在するので、導電層ＣＳは、タッチパネル用ＦＰＣ２２上に位置する引き回し配線ＬＲｘ及び又はＬＴｘの一部に重なって設けられてもよい。このように導電層ＣＳは、タッチパネル１３の誤動作防止並びに映像信号へのノイズ混入防止として機能するために、安価で有効に活用されることになる。
【００４３】
（第２実施形態）
図５は、第２実施形態に係る表示装置に用いられるタッチパネル１３を概略的に示す平面図である。第２実施形態は、引き回し配線ＬＲｘ及びＬＲｘを覆う導電層ＣＳが、周辺領域ＣＡのほぼ全域に設けられている点で第１実施形態と相違する。図示した例では、導電層ＣＳは、環状であり、センサ領域ＳＡ及び端子部２２ａを囲んでいる。
【００４４】
なお、環状の導電層ＣＳは、単一部材で形成されていなくてもよく、複数の部材で形成されてもよい。例えば、導電層ＣＳは、第１方向Ｘに延出した２つの部材と、第２方向Ｙに延出した２つの部材とを備え、これらの部材が互いに接続されていてもよい。
【００４５】
本実施形態においても、第１実施形態と同様の効果を得ることができる。さらに、本実施形態によれば、引き回し配線ＬＲｘ及びＬＲｘと導電層ＣＳとが重なる面積が大きいため、引き回し配線ＬＲｘ及びＬＲｘに生じたノイズの影響をさらに低減することができる。
【００４６】
（第３実施形態）
図６は、第３実施形態に係る表示装置に用いられるタッチパネル１３を概略的に示す平面図である。第３実施形態は、端子部２２ａとタッチパネル１３の端部１３Ｅとの間に導電層ＣＳが設けられていない点で第２実施形態と相違する。すなわち、導電層ＣＳは、略Ｃ字状であり、端子部２２ａと端部１３Ｅとの間で、第１方向Ｘに離間した第１端部ＣＳＥ１と第２端部ＣＳＥ２とを有している。なお、このような形状の導電層ＣＳは、単一部材で一体的に形成されていてもよく、複数の部材で形成されていてもよい。
【００４７】
本実施形態においても、第２実施形態と同様の効果を得ることができる。
【００４８】
（第４実施形態）
図７は、第４実施形態に係る表示装置に用いられるタッチパネル１３を概略的に示す平面図である。第４実施形態は、端子部２２ａとタッチパネル１３の端部１３Ｅとの間に、第３導電層ＣＳ３が設けられている点で第１実施形態と相違している。
【００４９】
第３導電層ＣＳ３は、第１方向Ｘに沿って延出し、帯状に形成されている。第３導電層の電位は、基準電位（接地電位）である。図示した例では、第３導電層ＣＳ３は、端子部２２ａよりも端部１３Ｅに近接し、引き回し配線ＬＴｘ及びＬＲｘとは重なっていない。しかしながら、第３導電層ＣＳ３は、端部１３Ｅよりも端子部２２ａに近接していてもよく、引き回し配線ＬＴｘ及びＬＲｘと重なっていてもよい。また、図示した例では、第３導電層ＣＳ３は、端子部２２ａと端部１３Ｅとの間に１本配置されているが、複数本配置されてもよい。また、第３導電層ＣＳ３の形状は、第１方向Ｘに沿った直線状に限らず、波状などの他の形状であってもよい。このような第３導電層ＣＳ３は、第１乃至第３実施形態で示した第１導電層ＣＳ１、及び第２導電層ＣＳ２と同一の材料から形成されていてもよく、異なる材料から形成されていてもよい。
【００５０】
図８に示すように、端子部２２ａは、第１方向Ｘに沿って配置された複数の端子２２ｂ（２２ｂ１、２２ｂ２、・・・２２ｂｉ）を備えている。本実施形態では、端子部２２ａの第１方向Ｘの幅Ｈ２２とは、端子部２２ａの両端に位置する端子２２ｂの間の第１方向Ｘの距離として定義される。すなわち、端子部２２ａの一端に位置する端子２２ｂ１は、一端部（辺）Ｓ１を有する。端子部２２ａの他端に位置する端子２２ｂｉは、他端部（辺）Ｓ２を有する。幅Ｈ２２は、一端部（辺）Ｓ１と他端部（辺）Ｓ２との間の第１方向Ｘの距離に相当する。
【００５１】
第３導電層ＣＳ３の第１方向Ｘの幅ＨＣは、幅Ｈ２２より大きい。しかも、第３導電層ＣＳ３は、すべての端子２２ｂと端部１３Ｅとの間に介在している。なお、図示した例では、端子２２ｂは矩形状であるが、他の形状でもよい。この場合であっても、端子部２２ａの第１方向Ｘの幅Ｈ２２は、同様に定義される。また、複数の端子２２ｂは、直線的に並ぶように配置されていなくてもよく、千鳥状に配置されてもよい。あるいは、端子部２２ａは、端部１３Ｅからの距離が異なる複数の端子２２ｂを有していてもよい。
【００５２】
図９は、図７に示すＩＸ−ＩＸ’線に沿ったタッチパネル１３の断面図である。
【００５３】
タッチパネル１３は、樹脂或いはガラスからなる透明な基板ＳＵＢを用いて構成されている。基板ＳＵＢは、検出電極Ｒｘｎ、図示されない駆動電極Ｔｘ、及び端子部２２ａが設けられた第１主面１３Ａと、第１主面１３Ａと反対側のタッチ操作面としての第２主面１３Ｂと、第１主面１３Ａ及び第２主面１３Ｂに繋がる側面１３Ｃとを有している。
【００５４】
本実施形態において、タッチパネル１３の端部１３Ｅは、図９において破線で囲まれた領域に相当する。すなわち、端部１３Ｅは、基板ＳＵＢの第２方向Ｙの一端側の第１主面１３Ａ、第２主面１３Ｂ、及び側面１３Ｃを含む領域である。第３導電層ＣＳ３は、基準電位（接地電位）であり、端部１３Ｅと端子部２１ａとの間で主面１３Ａに接している。第３導電層ＣＳ３と基準電位部材との接続関係は、図４Ａ及び図４Ｂに示す例と同様である。なお、後述するように、第３導電層ＣＳ３は、端部１３Ｅまで延在していてもよい。
【００５５】
図示した例では、側面１３Ｃは、第１方向Ｘ及び第３方向Ｚで規定されるＸ−Ｚ平面に平行な平面であるが、これに限定されない。側面１３Ｃは、例えば第３方向Ｚに対して傾いた平面でもよく、曲面でもよく、平面と曲面とを含んでいてもよい。また、タッチパネル１３は、基板ＳＵＢ、検出電極Ｒｘ、駆動電極Ｔｘなどの他、例えば主面１３Ａ側に設けられた保護フィルムなどを含んでいてもよい。
【００５６】
第４実施形態によれば、端子部２２ａと、端子部２２ａが近接した端部１３Ｅとの間に第３導電層ＣＳ３を設けることで、タッチパネル１３の沿面を伝わって端子部２２ａにノイズが侵入することを抑制することができる。
【００５７】
例えば、図９に示すように、タッチ操作面である第２主面１３Ｂにおいて静電放電が生じた場合に、この静電放電に起因したノイズ電流は、タッチパネル１３の端部１３Ｅを介して第１主面１３Ａに回り込む場合がある。すなわち、第２主面１３Ｂに生じたノイズ電流は、第２主面１３Ｂ、側面１３Ｃ、及び第１主面１３Ａを伝搬し、端子部２２ａへ到達する場合がある。本実施形態によれば、端子部２２ａと端部１３Ｅとの間で接地電位の第３導電層ＣＳ３が第１主面１３Ａに接触しているため、第２主面１３Ｂから端部１３Ｅを伝わって第１主面１３Ａに回り込んだノイズ電流は、端子部２２ａへ侵入する前に第３導電層ＣＳ３に吸収される。
【００５８】
また、タッチパネル１３の沿面を伝わるノイズ電流の大きさは、伝搬する距離が大きくなるほど小さくなる。本実施形態によれば、図８に示すように、第３導電層ＣＳ３の幅ＨＣが端子部２２ａの幅Ｈ２２より大きい。このため、例えば第２主面１３Ｂから端部１３Ｅを介して第１主面１３Ａに到達したノイズ電流が第３導電層ＣＳ３の第１方向Ｘの両端部を迂回する場合、ノイズ電流の端子部２２ａまでの伝搬距離は、十分に大きくなる。すなわち、第２主面１３Ｂから伝搬したノイズ電流の大きさは、端子部２２ａに到達するまでに十分に減衰される。したがって、本実施形態によれば、ノイズ電流が端子部２２ａへ侵入することを抑制することができる。
【００５９】
（第５実施形態）
図１０Ａ及び図１０Ｂは、第５実施形態に係る表示装置に用いられるタッチパネル１３を概略的に示す平面図である。第５実施形態は、タッチパネル１３が第３導電層ＣＳ３に加えて、第１実施形態で示した第１導電層ＣＳ１と第２導電層ＣＳ２とをさらに備えている点で第４実施形態と相違している。
【００６０】
図１０Ａに示す例では、第３導電層ＣＳ３は、第１導電層ＣＳ１及び第２導電層ＣＳ２より端部１３Ｅに近接しており、図１０Ｂに示す例では、第３導電層ＣＳ３は、第１導電層ＣＳ１及び第２導電層ＣＳ２より端子部２２ａに近接している。
【００６１】
本実施形態において、第１導電層ＣＳ１、第２導電層ＣＳ２、及び第３導電層ＣＳ３は、互いに離間しているが、いずれも同電位に設定され、例えば基準電位（接地電位）である。第３導電層ＣＳ３の第１方向Ｘの幅ＨＣは、第１導電層ＣＳ１と第２導電層ＣＳ２との第１方向Ｘの距離Ｄ１より大きい。しかも、図１０Ａに示す例では、第３導電層ＣＳ３は、第１導電層ＣＳ１と端部１３Ｅとの間、及び、第２導電層ＣＳ２と端部１３Ｅとの間にそれぞれ介在している。図１０Ｂに示す例では、第１導電層ＣＳ１及び第２導電層ＣＳ２は、第３導電層ＣＳ３と端部１３Ｅとの間にそれぞれ介在している。
【００６２】
本実施形態によれば、端子部２２ａへのノイズ電流の侵入を抑制するとともに、引き回し配線ＬＴｘ、ＬＲｘに生じたノイズ電流の影響も低減することができる。
【００６３】
（第６実施形態）
図１１Ａ及び図１１Ｂは、第６実施形態に係る表示装置に用いられるタッチパネル１３を概略的に示す平面図である。第６実施形態は、第３導電層ＣＳ３が第１導電層ＣＳ１と第２導電層ＣＳ２とに接続されている点で第５実施形態と相違している。
【００６４】
第３導電層ＣＳ３は、図１１Ａに示すように、例えば導電性を有する接着剤により第１導電層ＣＳ１及び第２導電層ＣＳ２に接続されている。あるいは、図１１Ｂに示すように、第１導電層ＣＳ１、第２導電層ＣＳ２、及び第３導電層ＣＳ３は、一体的に形成されていてもよい。すなわち、端子部２２ａと端部１３Ｅとの間で、引き回し配線ＬＴｘ及びＬＲｘと重なり、且つ、タッチパネル１３と接する単一部材の導電層ＣＳが設けられていてもよい。なお、第３導電層ＣＳ３は、端部１３Ｅよりも端子部２２ａと近接する側で第１導電層ＣＳ１及び第２導電層ＣＳ２と接続されても良い。
【００６５】
本実施形態においても、第５実施形態と同様の効果を得ることができる。また、第１導電層ＣＳ１及び第２導電層ＣＳ２がタッチパネル１３と接している場合は、第１導電層ＣＳ１及び第２導電層ＣＳ２と第３導電層ＣＳ３との間にノイズ電流の伝搬経路がないため、端子部２２ａへのノイズ電流の侵入をさらに抑制することができる。
【００６６】
（第７実施形態）
図１２は、第７実施形態に係る表示装置に用いられるタッチパネル１３を概略的に示す平面図である。第７実施形態は、第３実施形態に示す導電層ＣＳと、第４実施形態に示す第３導電層ＣＳ３とを備えている。
【００６７】
図示した例では、第３導電層ＣＳ３は、導電層ＣＳより端部１３Ｅに近接しているが、導電層ＣＳの第１端部ＣＳＥ１及び第２端部ＣＳＥ２と、端子部２２ａとの間に位置していてもよい。第３導電層ＣＳ３の第１方向Ｘの幅ＨＣは、導電層ＣＳの第１端部ＣＳＥ１と第２端部ＣＳＥ２との第１方向Ｘの距離Ｄ２より大きい。
【００６８】
本実施形態においても、第５実施形態と同様の効果を得ることができる。なお、第２実施形態で示した図５は、本実施形態の第３導電層ＣＳ３と導電層ＣＳ１、導電層ＣＳ２とが接続された状態に相当する。したがって、図５に示す導電層ＣＳによっても、引き回し配線ＬＴｘ、ＬＲｘに生じたノイズ電流の影響を低減するとともに、タッチパネル１３の沿面を伝搬したノイズ電流の端子部２２ａへの侵入を抑制することができる。
【００６９】
（第８実施形態）
図１３Ａ及び図１３Ｂは、第８実施形態に係る表示装置に用いられるタッチパネル１３の断面図である。第８実施形態は、第３導電層ＣＳ３が基板ＳＵＢの側面１３Ｃに接している点で第４乃至第７実施形態と相違している。図１３Ａに示す例では、第３導電層ＣＳ３は、側面１３Ｃのみに接している。図１３Ｂに示す例では、第３導電層ＣＳ３は、端部１３Ｅを覆っている。すなわち、第３導電層ＣＳ３は、第２主面１３Ｂ、側面１３Ｃ、及び第１主面１３Ａに接している。なお、第３導電層ＣＳ３は、主面１３Ａ及び側面１３Ｃの少なくとも一方と接触していればよい。
【００７０】
本実施形態においても、第４実施形態と同様の効果を得ることができる。
【００７１】
（適用例）
上記した実施形態で採用されるタッチ検出装置（センサ）の検出方式は、相互容量方式（ミューチャル方式）、自己容量方式（セルフ方式）のいずれであってもよい。
【００７２】
図１４に相互容量方式のタッチ検出装置２００の基本構成を示す。タッチ検出装置２００は、タッチパネル１３と、タッチパネル１３を制御するためのタッチパネル駆動ＩＣチップ２３とを備えている。相互容量方式では、タッチパネル１３の基板ＳＵＢは、タッチ操作を検出するための、複数の駆動電極Ｔｘ（Ｔｘ１、Ｔｘ２、Ｔｘ３・・・）と、この複数の駆動電極Ｔｘに対して絶縁し、交差するように配列された複数の検出電極Ｒｘ（Ｒｘ１、Ｒｘ２、Ｒｘ３・・・）を備える。第２方向Ｙ（又は縦方向）に細長い複数の駆動電極Ｔｘ（Ｔｘ１、Ｔｘ２、Ｔｘ３・・・）は、第１方向Ｘ（又は横方向）へ間隔を置いて並列に配列されている。第１方向Ｘに細長い複数の検出電極Ｒｘ（Ｒｘ１、Ｒｘ２、Ｒｘ３・・・）は、第２方向Ｙへ間隔を置いて並列に配列されている。駆動電極Ｔｘと検出電極Ｒｘとの各交差部では、対向する電極間で容量を形成している。
【００７３】
なお、表示パネルにおいて表示期間に一定電位が与えられる共通電極が、上記駆動電極Ｔｘとして利用されてもよい。つまり、インセルタイプと称される表示装置においては、駆動電極Ｔｘ（Ｔｘ１、Ｔｘ２、Ｔｘ３・・・）が、画素回路のための共通電極として兼用される。オンセルタイプと称される表示装置においては、タッチ検出用として設けられたタッチパネル（タッチ検出用基板）に対して上記駆動電極Ｔｘ及び検出電極Ｒｘがタッチ検出専用電極として設けられている。上記のタッチ検出装置２００は、タッチパネル駆動ＩＣチップ２３により制御される。
【００７４】
タッチ検出期間は、例えば１フレーム内に分散して設定されている。したがって、表示装置では、表示期間とタッチ検出期間が、時分割されている。そして、セレクタＳＥＬＡは、パルス状の駆動信号Ｔｘｓを、タッチ検出期間に駆動電極Ｔｘ１、Ｔｘ２、Ｔｘ３・・・に順次供給する。もし、どこかにユーザの指が触れていると（タッチしていると）、該当するタッチ位置の検出電極から出力される検出信号Ｒｘｓは、他の検出電極から出力される検出信号Ｒｘｓよりも低いレベルとなる。図の例では、タッチを検出していない検出信号レベルがＡＰ１の場合と、タッチを検出している電極の検出信号レベルがＡＰ２＜ＡＰ１の場合を示している。
【００７５】
なお、上記の説明では、駆動電極Ｔｘと検出電極Ｒｘとが利用された相互容量方式を説明したが、駆動電極Ｔｘ及び検出電極Ｒｘは、自己容量方式の電極として用いられてもよい。例えば、タッチ検出装置２００は、駆動電極Ｔｘのみを用いて自己容量方式として動作してもよく、検出電極Ｒｘのみを用いて自己容量方式として動作してもよい。このような動作は、例えば節電状態のときに実行される。
【００７６】
図１５に自己容量方式のタッチ検出装置２００の一構成例を示す。タッチ検出装置２００は、タッチパネル１３と、タッチパネル駆動ＩＣチップ２３と、駆動・検出回路ＤＤＥＴとを備えている。自己容量方式では、タッチパネル１３の基板ＳＵＢは、マトリックス状に配置された、タッチ操作を検出するための複数の共通電極ＣＥ（ＣＥ１１、ＣＥ１２、ＣＥ１３、・・・・、ＣＥ２１、ＣＥ２２、ＣＥ２３、・・・・、ＣＥ３１、ＣＥ３２、ＣＥ３３、・・・・、）を備えている。それぞれの共通電極ＣＥには、引き回し配線ＴＲ（ＴＲ１，ＴＲ２・・・・）が接続されている。この引き回し配線ＴＲは、駆動・検出回路ＤＤＥＴに接続されている。駆動・検出回路ＤＤＥＴは、例えば、第１基板（アレイ基板）ＳＵＢ１の非表示領域に形成されている。この駆動・検出回路ＤＤＥＴは、タッチパネル駆動ＩＣチップ２３（制御部）により制御され、タッチ検出機能を制御する。なお、１つの共通電極ＣＥの面積は、例えば１つの画素領域の２４倍程度である。
【００７７】
図１６Ａは、Ｙ方向に１つの列を構成する複数の共通電極ＣＥ（ＣＥ１１、ＣＥ２１、ＣＥ３１、・・・・）が、駆動・検出回路ＤＤＥＴを介してタッチパネル駆動ＩＣチップ２３に関連している状態を示している。駆動・検出回路ＤＤＥＴは、共通電圧Ｖｃｏｍを選択することができる第１セレクタ５０１、センシング回路５２０を備える。今、複数の共通電極ＣＥが、５つの共通電極ＣＥ１１、ＣＥ２１、ＣＥ３１、ＣＥ４１、ＣＥ５１を備えるものとして説明する。
【００７８】
引き回し配線ＴＲ１〜ＴＲ５は、各共通電極ＣＥ１１〜ＣＥ５１からそれぞれ駆動・検出回路ＤＤＥＴに導かれている。駆動・検出回路ＤＤＥＴは、表示期間に共通電極ＣＥ１１〜ＣＥ５１のすべてに共通電圧Ｖｃｏｍを印加するための第１セレクタ５０１を備える。また引き回し配線ＴＲ１〜ＴＲ５は、第１セレクタ５０１を介して、センシング回路５２０内の第２セレクタ５２２に接続されている。
【００７９】
第２セレクタ５２２は、各引き回し配線ＴＲ１〜ＴＲ５を１つずつ選択して、各引き回し配線ＴＲ１〜ＴＲ５にセンサ信号を供給する。このセンサ信号の供給期間は、図１６Ｂに示す、タッチ検出期間である。タッチ検出期間は、１フレーム内で、表示期間が時分割されており、表示期間と表示期間の間にタッチ検出期間が設定されている。
【００８０】
上記のセンサ信号は、センサ信号発生器５２４で生成され、変換回路５２３を介して第２セレクタ５２２に入力している。また、センサ信号は、変換回路５２３の出力側、つまり検知回路５３０側にも検出信号として出力される。ここで、共通電極ＣＥ１１〜ＣＥ５１のいずれかに対して、ユーザの指がタッチしていたとする。すると、当該共通電極にセンサ信号が供給されたとき、変換回路５２３から出力されるセンサ信号のレベルが、他のユーザの指がタッチしていないときのレベル（非検出レベル）とは異なるレベル（タッチ検出レベル）で出力される。変換回路５２３の回路は特に限定するものではないが、一例として容量結合を介してセンサ信号発生器５２４の信号によりタッチ操作を検出するための複数の共通電極ＣＥを駆動し、検知回路５３０で共通電極ＣＥの変動電圧レベルを測定することでタッチの有無を検出する。指が共通電極ＣＥに接触しているときは共通電極ＣＥの容量成分は指が接触していないときに比べて大きくなるため、共通電極ＣＥの電圧変動は指が接触しているときは指が接触していないときに比べて小さくなる。
【００８１】
検知回路５３０は、スイッチ５３１と、比較器５３２と、フィルタ５３３、Ａ／Ｄ変換器５３４とを備えている。比較器５３２はその前段に配置されたスイッチ５３１により変換回路５２３との接続（タッチ検出期間は接続）及び切り離し（表示期間は切り離し）が可能としてもよい。
【００８２】
比較器５３２は、変換回路５２３からのセンサ信号を受信し、該信号と閾値Ｖｒｅｆとの差分を出力する。また、比較器５３２には、コンデンサ５３５とスイッチ５３６とが並列に接続されている。比較器５３２の出力は、例えば表示期間にスイッチ５３６をオンすることによりリセットされる。スイッチ５３１およびスイッチ５３６の切り替えは、例えばタッチパネル駆動ＩＣチップ２３からの制御データに基づいて行われる。
【００８３】
比較器５３２から出力された値はフィルタ５３３によりノイズ除去され、Ａ／Ｄ変換器５３４により、デジタル信号に変換される。このデジタル値が、タッチ検出データとして、タッチパネル駆動ＩＣチップ２３に入力される。タッチパネル駆動ＩＣチップ２３は、センシング回路５２０からのデータに基づいて演算処理を実行し、タッチ位置を特定している。タッチパネル駆動ＩＣチップ２３は、第１セレクタ５０１、第２セレクタ５２２、スイッチ５３１などを制御するためのシーケンス制御データを有する。したがって、タッチパネル駆動ＩＣチップ２３は、検知回路５３０からタッチ検出データが入力したとき、どの共通電極からの検出データであるかを把握することができる。
【００８４】
上記では、第１列の各共通電極ＣＥ１１〜ＣＥ５１を示して、タッチ検出動作を説明したが、第２列、第３列・・・の各共通電極に対しても順次同様な方法で、タッチ検出動作が実行される。この場合、センシング回路５２０は、各列のためのセンシング回路として順次利用されてもよい。あるいは、各列に対して専用のセンシング回路が設けられてもよい。
【００８５】
以上、本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００８６】
１００…液晶表示装置、２００…タッチ検出装置、１１…制御基板、１２…シールドケース、１３…タッチパネル、１３Ａ…第１主面、１３Ｂ…第２主面（タッチ操作面）、１３Ｃ…側面、１４…ガスケット、１５…絶縁材、１６，１７…ネジ、２１…表示パネル用フレキシブルプリント回路基板、２２…タッチパネル用フレキシブルプリント回路基板、２２ａ…端子部、２２ｂ…端子、２３…タッチパネル駆動ＩＣチップ、ＣＳ…導電層、ＣＳ１…第１導電層、ＣＳ２…第２導電層、ＣＳ３…第３導電層、ＳＡ…センサ領域、ＣＡ…周辺領域、Ｔｘ…駆動電極、Ｒｘ…検出電極、ＬＴｘ，ＬＲｘ…引き回し配線、ＬＣＤ…液晶表示パネル、ＢＬ…バックライトユニット、ＣＨＳ…筐体。
【図１】
2020170554.tif 000003
【図２】
2020170554.tif 000004
【図３Ａ】
2020170554.tif 000005
【図３Ｂ】
2020170554.tif 000006
【図４Ａ】
2020170554.tif 000007
【図４Ｂ】
2020170554.tif 000008
【図５】
2020170554.tif 000009
【図６】
2020170554.tif 000010
【図７】
2020170554.tif 000011
【図８】
2020170554.tif 000012
【図９】
2020170554.tif 000013
【図１０Ａ】
2020170554.tif 000014
【図１０Ｂ】
2020170554.tif 000015
【図１１Ａ】
2020170554.tif 000016
【図１１Ｂ】
2020170554.tif 000017
【図１２】
2020170554.tif 000018
【図１３Ａ】
2020170554.tif 000019
【図１３Ｂ】
2020170554.tif 000020
【図１４】
2020170554.tif 000021
【図１５】
2020170554.tif 000022
【図１６Ａ】
2020170554.tif 000023
【図１６Ｂ】
2020170554.tif 000024